(57)【要約】  【課題】  耐久性に優れてメンテナンス面で有利な起伏ゲート装置を提供する。  【解決手段】  水路Ａの水底部に遮水用のゲート板２を起立、倒伏自在に設置し、このゲート板２の下流側の水底部を掘り下げて倒伏したゲート板２を格納可能とする格納室５を形成する。また、格納室５の下流側の水底部に上面が平滑なガイド板６を配設し、ゲート板２の上縁部には格納室５の開口部５ａをカバーする鋼製のカバー板８の一端縁８ａを回動自在に軸着する一方、このカバー板８の他端縁８ｂはガイド板６上面へ摺動自在に載置する。【選択図】  図１
2005155238.tif 000002
【特許請求の範囲】
【請求項１】
水路の水底部に遮水用のゲート板を起立、倒伏自在に設置し、該ゲート板の下流側の水底部を掘り下げて倒伏したゲート板を格納可能とする格納室を形成すると共に、該格納室の下流側の水底部に上面が平滑なガイド板を配設し、前記ゲート板の上縁部には前記格納室の開口部をカバーする鋼製のカバー板の一端縁を回動自在に軸着する一方、該カバー板の他端縁は前記ガイド板上面へ摺動自在に載置したことを特徴とする起伏ゲート装置。
【請求項２】
前記カバー板の両側部にはカバー板と水路側壁との隙間を調整する可撓性部材を備えたことを特徴とする請求項１記載の起伏ゲート装置。
【発明の詳細な説明】
【技術分野】
【０００１】
本発明は、河川や水路などの水底部に遮水用のゲート板を起立、倒伏自在に設置してなる起伏ゲート装置に関する。
【背景技術】
【０００２】
従来より、河川や水路などには、農業用水などの取水を行うための取水口を開口し、水路内を流下する水流を適宜堰き止めて前記取水口の高さ位置まで水位を上昇させ、水流の一部を取水口へ流して取水するようにした取水装置を設置しており、それら取水装置の一つに起伏ゲート装置がある。起伏ゲート装置は、水路を横断する方向へ水路幅に亘って遮水用のゲート板を配置すると共に、該ゲート板の下端部を水路の水底部へ回動可能に軸支し、液圧シリンダなどの駆動装置により起立、倒伏自在としたものである。そして、この起伏ゲート装置には、ゲート板の下流側の水底部を溝状に掘り下げて倒伏したゲート板を格納可能とする格納室を形成し、ゲート板を倒伏した際に水路内の水流が遮られることなく円滑に流下するように図られたものが一般に多く採用されている。
【０００３】
ところが、上記起伏ゲート装置においては、水路上流より流下してくるゴミや土砂などが前記格納室内へ流れ込んで堆積してしまうことも珍しくなく、そのまま放置していればゲート板が完全に倒伏できなくなってしまうおそれがあり、また故障の原因にもなりかねないため、定期的な格納室内の清掃などのメンテナンスを要していた。また、ゲート板を越流する水流が水路の水底部へ落水する際に大きな衝撃音を発し、周囲の環境にとってあまり好ましいものではなかった。
【０００４】
このような問題に対し、例えば、ゲート板の上縁部とゲート板の下流側の水底部とに亘ってゴムなどのシートを張設し、格納室上端の開口部をカバーするようにしたものがある。そして、この起伏ゲート装置であれば、ゴミや土砂などが格納室内へ容易に流れ込むようなおそれもあまりないためメンテナンス面で有利であると共に、ゲート板を越流する水流はシート上を緩やかに流下していって衝撃音を発しにくいため環境面においても好適であると言える。
【特許文献１】特開２０００−３１４１２４号公報
【特許文献２】特開２０００−２２０１２８号公報
【発明の開示】
【発明が解決しようとする課題】
【０００５】
しかしながら、常時水流に晒される上、増水時などには多量の水流や土砂などによる負荷がかかるという過酷な使用条件の下、格納室をカバーする手段としてゴム製のシートを採用した上記従来装置では耐久力不足が懸念され、シートの定期的な点検や交換を余儀なくされるおそれがあり、依然としてメンテナンス面で改善の余地があると考えられる。
【０００６】
本発明は上記の点に鑑み、耐久性に優れてメンテナンス面で有利な起伏ゲート装置を提供することを課題とする。
【課題を解決するための手段】
【０００７】
上記の課題を解決するために、本発明の請求項１記載の起伏ゲート装置にあっては、水路の水底部に遮水用のゲート板を起立、倒伏自在に設置し、該ゲート板の下流側の水底部を掘り下げて倒伏したゲート板を格納可能とする格納室を形成すると共に、該格納室の下流側の水底部に上面が平滑なガイド板を配設し、前記ゲート板の上縁部には前記格納室の開口部をカバーする鋼製のカバー板の一端縁を回動自在に軸着する一方、該カバー板の他端縁は前記ガイド板上面へ摺動自在に載置したことを特徴としている。
【０００８】
また、請求項２記載の起伏ゲート装置にあっては、前記カバー板の両側部にはカバー板と水路側壁との隙間を調整する可撓性部材を備えたことを特徴としている。
【発明の効果】
【０００９】
本発明に係る請求項１記載の起伏ゲート装置によれば、水路の水底部に遮水用のゲート板を起立、倒伏自在に設置し、該ゲート板の下流側の水底部を掘り下げて倒伏したゲート板を格納可能とする格納室を形成すると共に、該格納室の下流側の水底部に上面が平滑なガイド板を配設し、前記ゲート板の上縁部には前記格納室の開口部をカバーする鋼製のカバー板の一端縁を回動自在に軸着する一方、該カバー板の他端縁は前記ガイド板上面へ摺動自在に載置したので、装置の耐久性に優れ、頻繁に点検や交換などを要せず、メンテナンスコストを抑えながらゲート板の格納室をゴミや土砂などの堆積から好適に保護することができる。
【００１０】
また、請求項２記載の起伏ゲート装置によれば、前記カバー板の両側部にはカバー板と水路側壁との隙間を調整する可撓性部材を備えたので、格納室内へのゴミや土砂などの侵入をより効果的に防止することができてメンテナンス面で有利である。
【発明を実施するための最良の形態】
【００１１】
本発明に係わる請求項１記載の起伏ゲート装置においては、水路内の水流を堰き止めずに下流へそのまま流下させる場合には、ゲート板を水底部へ倒伏させて格納室内に格納し、水路内の水流の妨げとならないようにする。このとき、格納室上端の開口部はゲート板と鋼製のカバー板とによってカバーされ、格納室内にゴミや土砂などが流れ込むことはほとんどない。一方、取水の際などに水路内の水流を堰き止める場合には、ゲート板を格納室より立ち上げていって起立させていく。このとき、ゲート板の起立動作にともない、ゲート板の上縁部に軸着した鋼製のカバー板の一端側も持ち上げられていくが、他端側はその自重により、格納室の開口部を跨いで配設されたガイド板の上面を引きずられるように摺動していく。したがって、格納室の開口部は常にゲート板とカバー板とによってカバーされ続け、格納室内にゴミや土砂などが流れ込むおそれはほとんどない。そして、鋼製のカバー板は耐久性に優れ、常時水流に晒されたり、また増水時などには多量の水流や土砂などによる負荷がかかるというような過酷な使用条件の下でも支障がない。このように、ごくシンプルな構成でありながらも耐久性の高い起伏ゲート装置であり、メンテナンス性に優れ、装置コストも抑えることができる。
【００１２】
また、請求項２記載の起伏ゲート装置においては、カバー板の両側部と水路側壁との隙間を、カバー板に備えた隙間調整ゴムによって起伏動作に支障がない程度に極力狭く調整する。このようにすることによって、格納室内へ流れ込もうとするゴミや土砂などをより効果的に阻止することができ、更なるメンテナンス性の向上が期待できる。
【実施例１】
【００１３】
以下、本発明の実施例を図面に基づいて説明する。
【００１４】
図中の１は本発明の起伏ゲート装置であって、農業用などの水路Ａを横断する方向へ水路幅に亘って遮水用の鋼製のゲート板２を配置し、該ゲート板２の下端部を水路Ａの水底部に回動自在に軸支していると共に、ゲート板２の下流面側には油圧シリンダ３を備えており、該油圧シリンダ３の駆動にてピストンロッド４を伸縮動作させ、これによってゲート板２を水路Ａの水底部に対して起立、倒伏自在としている。
【００１５】
また、前記ゲート板２の下流側の水底部を所定深さ掘り下げ、倒伏したゲート板２全体が格納可能な格納室５を形成していると共に、該格納室５よりも更に下流側の水底部には上面が平滑な鋼製のガイド板６を配設している。また、ゲート板２の上縁部にはヒンジ７を介して鋼製のカバー板８の一端縁８ａを回動自在に軸着している一方、該カバー板８の他端縁８ｂは前記ガイド板６の上面へ摺動自在に載置している。
【００１６】
そして、ゲート板２を倒伏したときには、図中の二点鎖線で示すように、ゲート板２はその全体が格納室５内に収まると共に、カバー板８はゲート板２の上縁部からガイド板６上面に亘って横たわる。このとき、格納室５の開口部５ａは、ゲート板２とカバー板８とによってカバーされる。一方、ゲート板２を起立したときには、図中の実線で示すように、カバー板８はゲート板２上縁部からガイド板上面６に亘って斜めに立ち上がる。このとき、格納室５の開口部５ａは、ゲート板２とカバー板８とによって屋根状に形成される囲いによってカバーされる。なお、前記カバー板８は鋼製から成るものであるが、例えば、ステンレスなどを採用すれば、耐久性に優れ、常時水流に晒されたり、また増水時などには多量の水流による負荷がかかるというような過酷な使用条件の下でも腐食や損傷のおそれはなく、半永久的に好適に使用することができる。
【００１７】
また、カバー板８の両側部に沿って可撓性部材である隙間調整ゴム９を備えており、カバー板８と水路Ａ側壁との隙間を適宜調整可能としている。そして、実際に隙間を調整する際には、ゲート板２の起伏動作に支障がない程度に、かつ隙間が極力狭くなるように隙間調整ゴム９を固着し、ゴミや土砂などがゲート板２と水路Ａ側壁との隙間を通って格納室５内へ流れ込むのをより効果的に阻止できるようにしている。
【００１８】
しかして、取水を行わない場合、即ち水路Ａ内の水流を堰き止めずにそのまま流下させる場合には、油圧シリンダ３を駆動してピストンロッド４を短縮させ、ゲート板２を図中の二点鎖線で示すように水底部へ倒伏させて格納室５内へ格納して水路Ａを開放する。このとき、カバー板８はゲート板２の倒伏動作に応じて同様に水底部へ倒伏し、これらの倒伏したカバー板８とゲート板２とによって格納室５の開口部５ａはカバーされ、水路Ａ上流より流下してくるゴミや土砂などは格納室５内に流れ込むことはほとんどない。なお、カバー板８の両側部に備えた隙間調整ゴム９を適宜調整し、カバー板８と水路Ａ側壁との隙間を極力狭くしておけば、格納室５内へのゴミや土砂などの流入をより効果的に阻止することができる。
【００１９】
一方、取水を行う場合、即ち水路Ａ内の水流を堰き止めて水嵩を上げる場合には、油圧シリンダ３を駆動してピストンロッド４を伸長させ、ゲート板２を図中の実線で示すように起立させて水路Ａ底部側を閉鎖する。このとき、カバー板８はゲート板２の起立動作に応じて上流側の一端縁８ａが一緒に持ち上げられていくと共に、下流側の他端縁８ｂはその自重によってガイド板６上面に当接した状態で、ガイド板６の上面を引きずられるようにしてゲート板２側へと摺動していって起立していく。そして、これらの起立したカバー板８とゲート板２とによって屋根状に形成される囲いによって格納室５の開口部５ａは常にカバーされ続け、ゲート板２の起立角度にかかわらず、ゴミや土砂などが格納室５内へ流れ込むことはほとんどない。
【００２０】
また、起立状態にあるゲート板２を倒伏させる場合も、上記と同様に、格納室５の開口部５ａはカバー板８とゲート板２とによって屋根状に形成される囲いによって常にカバーされ続け、ゴミや土砂などが格納室５内へ流れ込むことはほとんどない。なお、ゲート板２を倒伏させる際に、カバー板８の他端縁８ｂがその自重によってガイド板６上面を押していくように、あたかもスクレーパ状に下流側へと摺動していくため、ゲート板２を起立させていた間にガイド板６上面にゴミや土砂などが堆積してもゲート板２の倒伏動作と併せてきれいに取り除くことができ、この点においてもメンテナンス面で有利である。
【００２１】
このように、起伏ゲート装置１における格納室５の開口部５ａを鋼製のカバー板８によってカバーするようにしたことにより、耐久性が高く、メンテナンス性に優れていると共に、装置構成もごくシンプルであるため、故障なども少なくて、やはりメンテナンス性が良い上、装置コストも抑えることができる。
【図面の簡単な説明】
【００２２】
【図１】本発明に係る起伏ゲート装置の一実施例を示す一部切り欠き正面図である。
【符号の説明】
【００２３】
１…起伏ゲート装置            ２…ゲート板
５…格納室                    ５ａ…格納室開口部
６…ガイド板                  ８…カバー板
８ａ…カバー板一端縁          ８ｂ…カバー板他端縁
９…隙間調整ゴム（可撓性部材）
Ａ…水路
【図１】
2005155238.tif 000003